(57)【要約】【課題】本発明の解決しようとする課題は、簡単な構造であってコスト的にも有利であり、カードを台紙から取り出す作業が容易なカードパッケージを提案するものである。【解決手段】カードを収納して販売するためのカードパッケージであって、表面台紙と裏面台紙を有し、裏面台紙は、カードの一つの対角線上の二つの角を差し込むための切り込みを有し、カードの他の対角線の上部に相当する位置を開封開始部として、カードの上辺及び側辺に沿って裏面台紙を切り裂くための２本のミシン目線を有することを特徴とするカードパッケージである。【選択図】図４
2018069461.tif 000002
【特許請求の範囲】
【請求項１】
カードを収納して販売するためのカードパッケージであって、表面台紙と裏面台紙を有し、裏面台紙は、カードの一つの対角線上の二つの角を差し込むための切り込みを有し、カードの他の対角線の上部に相当する位置を開封開始部として、カードの上辺及び側辺に沿って裏面台紙を切り裂くための２本のミシン目線を有することを特徴とするカードパッケージ。
【請求項２】
前記裏面台紙は、前記開封開始部の付け根部分を通り、前記２本のミシン目線に対して略４５°の角度をなす折り線を有することを特徴とする請求項１に記載のカードパッケージ。
【請求項３】
前記裏面台紙は、取り付けられたカードの一部分を参照可能な窓部を有することを特徴とする請求項１または２に記載のカードパッケージ。
【請求項４】
前記表面台紙および裏面台紙を貫通する吊下げ孔を有することを特徴とする請求項１〜３のいずれか１項に記載のカードパッケージ。
【発明の詳細な説明】
【技術分野】
【０００１】
本発明は、プリペイドカードなどのカード類を、店頭において販売するためにカードを収納して展示するためのカードパッケージに関する。
【背景技術】
【０００２】
近年、プリペイドカードなどの金券カードは、さまざまな種類、金額のものがコンビニエンスストアなどの店頭において販売されるようになった。これに伴いカードを収納して展示するためのカードパッケージにも、多くの機能が要求されるようになってきた。
【０００３】
カードパッケージに要求される機能としては、第１にカードの種類を間違いなく特定できる表示機能であり、さらには、取り出し易さ、トータルコストなどである。
【０００４】
特許文献１に記載された台紙一体型カードは、スクラッチ層を用いずにカードの使用履歴を付与でき、さらにカードを手剥がしし易い台紙一体型カードである。この台紙一体型カードは、カード台紙ならびにカード部とからなる第一基材と、透明な第二基材とが、前記カード部となる領域を含む位置に擬似接着構造を介して接着されたものである。
【先行技術文献】
【特許文献】
【０００５】
【特許文献１】特開２０１５−３９７７１号公報
【発明の概要】
【発明が解決しようとする課題】
【０００６】
特許文献１に記載された台紙一体型カードは、構造が複雑であり、コスト面において問題があるばかりでなく、カードを台紙から剥離する作業が面倒であるという問題があった。本発明の解決しようとする課題は、簡単な構造であってコスト的にも有利であり、カードを台紙から取り出す作業も容易なカードパッケージを提案するものである。
【課題を解決するための手段】
【０００７】
上記の課題を解決するための手段として、請求項１に記載の発明は、カードを収納して販売するためのカードパッケージであって、表面台紙と裏面台紙を有し、裏面台紙は、カードの一つの対角線上の二つの角を差し込むための切り込みを有し、カードの他の対角線の上部に相当する位置を開封開始部として、カードの上辺及び側辺に沿って裏面台紙を切り裂くための２本のミシン目線を有することを特徴とするカードパッケージである。
【０００８】
本発明に係るカードパッケージは、カードを台紙に取り付ける手段として、カードの一つの対角線上の二つの角を差し込むための切り込みを設けたので、カードの着脱が極めて容易にできる。
【０００９】
また、請求項２に記載の発明は、前記裏面台紙が、前記開封開始部の付け根部分を通り、前記２本のミシン目線に対して略４５°の角度をなす折り線を有することを特徴とする請求項１に記載のカードパッケージである。
【００１０】
また、請求項３に記載の発明は、前記裏面台紙が、取り付けられたカードの一部分を参照可能な窓部を有することを特徴とする請求項１または２に記載のカードパッケージである。
【００１１】
また、請求項４に記載の発明は、前記表面台紙および裏面台紙を貫通する吊下げ孔を有することを特徴とする請求項１〜３のいずれか１項に記載のカードパッケージである。
【発明の効果】
【００１２】
本発明に係るカードパッケージは、表面台紙と裏面台紙とからなり、裏面台紙は、カードの一つの対角線上の二つの角を差し込むための切り込みを有するので、この切り込みにカードの２つの角を差し込むだけの極めて簡単な操作でカードを台紙に取り付けることができる。
【００１３】
従来、台紙にカードを取り付けるためには、粘着剤や、擬似接着構造を用いていたが、このような材料を用いないことにより、製造コストを削減することができる。
【００１４】
また、本発明に係るカードパッケージは、カードの他の対角線の上部に相当する位置を開封開始部として、カードの上辺及び側辺に沿って裏面台紙を切り裂くための２本のミシン目線を設けたので、このミシン目線に沿って台紙を切り裂くことにより、カードの取出しがさらに容易になった。
【００１５】
請求項２に記載の発明のように、裏面台紙に、前記開封開始部の付け根部分を通り、前記２本のミシン目線に対して略４５°の角度をなす折り線を設けた場合には、この折り線を表面側に折ることにより、開封開始部を手でつまみ易くなり、さらに開封が容易になる。
【００１６】
請求項３に記載の発明のように、裏面台紙に、取り付けられたカードの一部分を参照可能な窓部を設けた場合には、必要なカードの情報を、開封前に読み取ることが可能になる。
【００１７】
また、請求項４に記載の発明のように、表面台紙および裏面台紙を貫通する吊下げ孔を設けた場合には、店頭において、カードパッケージをフックに吊下げて陳列することができ、展示効率が高まる。
【図面の簡単な説明】
【００１８】
【図１】図１は、本発明に係るカードパッケージの一実施態様を表側から見た状態を示した平面模式図である。
【図２】図２は、図１に示したカードパッケージを裏側から見た状態を示した平面模式図である。
【図３】図３は、図１、２に示したカードパッケージの裏面台紙を示した平面模式図である。
【図４】図４は、図３に示した裏面台紙に、カードを取り付けた状態を示した平面説明図である。
【図５】図５は、図１、２に示したカードパッケージの、折り線を折り曲げて、開封開始部を持ち易くしたところを裏面側から見た状態を示した平面説明図である。
【発明を実施するための形態】
【００１９】
以下、図面を参照しながら、本発明に係るカードパッケージについて詳細に説明する。図１は、本発明に係るカードパッケージ１の一実施態様を表側から見た状態を示した平面模式図である。また図２は、図１に示したカードパッケージ１を裏側から見た状態を示し
た平面模式図である。また、図３は、図１、２に示したカードパッケージの裏面台紙を示した平面模式図である。
【００２０】
本発明に係るカードパッケージ１は、表面台紙２と裏面台紙３とからなる。裏面台紙３としては、一般的に厚紙が使用される。表面台紙２としては、裏面台紙３と同様に厚紙でも良いし、透明あるいは不透明な合成樹脂シートでも良い。また、表面台紙２と裏面台紙３とは、１枚の厚紙を２つに折って構成しても良い。図１に示した例では、表面台紙２として、厚紙が使用されている。
【００２１】
表面台紙２が不透明な材質である場合には、表面台紙２の表面に、内容物であるカード４の属性を示す印刷表示１４がなされる。表面台紙２が透明な合成樹脂シートである場合には、これらの属性は、裏面台紙３の表面に印刷表示される。
【００２２】
図１、２に示した例では、カードパッケージ１の上部に、吊下げ孔１２が設けられており、店頭において、フックなどに掛けて陳列することができるようになっている。またカードを贈答用として用いる場合に、吊下げ孔部を除去するための切り取り線１３が設けられている。
【００２３】
図３に示したように、裏面台紙３には、カードの一つの対角線上の二つの角、図では右上の角と左下の角とを差し込むための切り込み５、６が設けられている。
【００２４】
カードの他の対角線の上部に相当する位置、図３では左上部を開封開始部７として、カードの上辺及び側辺に沿って裏面台紙３を切り裂くための２本のミシン目線８、９が設けられている。
【００２５】
２本のミシン目線８、９に沿って裏面台紙３を直角に切り裂くことにより、カードの取出しが容易になる。
【００２６】
また、この例では、裏面台紙３には、開封開始部７の付け根部分を通り、２本のミシン目線８、９に対して略４５°の角度をなす折り線１０が設けられている。折り線１０については、図５の説明のところで説明する。
【００２７】
また、この例では、裏面台紙３に、窓部１１が設けられており、裏側からカードの一部を視認することができるようになっている。また、表面台紙２および裏面台紙３を貫通する吊下げ孔１２が設けられている。さらに、贈答用として使用する場合に吊下げ孔１２を含む上部全体を折り取るための切り取り線１３が設けられている。
【００２８】
図４は、図３に示した裏面台紙３に、カード４を取り付けた状態を示した平面説明図である。このように、カード４は、切り込み５と切り込み６とによって、対角線上の２つの角で裏面台紙３に固定されるようになっている。
【００２９】
このように、裏面台紙３へのカード４の取り付けは、２つの角を切り込み５、６に差し込むだけの極めて簡単な操作で済み、従来、一般的にカードを台紙に固定するために用いられてきた両面粘着テープや、接着剤等が不要であるため、コストを低減する効果がある。
【００３０】
図４の状態から、図１の状態にするためには、裏面台紙３に表面台紙２を貼り合せる必要がある。貼り合せる方法としては、接着剤を用いて裏面台紙３と表面台紙４の外周縁部を貼り合せる方法や、予め感熱接着剤をいずれかの面に塗布しておいて、熱プレスによって熱圧接着する方法などがある。
【００３１】
図５は、図１、２に示したカードパッケージ１の折り線１０を折り曲げて、開封開始部７を持ち易くしたところを裏面側から見た状態を示した平面説明図である。このように、折り線１０を表側に折り曲げることにより、開封開始部７がつまみ易くなり、開封がさらに容易になる。
【符号の説明】
【００３２】
１・・・カードパッケージ
２・・・表面台紙
３・・・裏面台紙
４・・・カード
５・・・切り込み
６・・・切り込み
７・・・開封開始部
８・・・ミシン目線
９・・・ミシン目線
１０・・・折り線
１１・・・窓部
１２・・・吊下げ孔
１３・・・切り取り線
１４・・・印刷表示
【図１】
2018069461.tif 000003
【図２】
2018069461.tif 000004
【図３】
2018069461.tif 000005
【図４】
2018069461.tif 000006
【図５】
2018069461.tif 000007